(57)【要約】【課題】プリント番号情報と、このプリント番号情報によって印刷される写真とを併せてユーザに提示可能とする。【解決手段】証明写真印刷注文システムは、顧客のパーソナルコンピュータ３のブラウザに、画像アップロード用のＷｅｂページを表示させて画像を受信する受信部６１と、画像を配置したプリントデータを生成し、このプリントデータのサムネイル画像、および、このプリントデータに紐付けられたプリント番号を配置したプリント番号画像を含むＷｅｂページをパーソナルコンピュータ３のブラウザに表示させると共に、このプリント番号画像を所定のメールアドレスに送信する番号通知部６３と、マルチコピー機５を介してプリント番号が入力されたとき、このプリント番号と紐付いたプリントデータをマルチコピー機５に印刷させるデータ送信部６４とを備える。【選択図】図１
2017084064.tif 000002
【特許請求の範囲】
【請求項１】
顧客端末に、画像アップロード用のＷｅｂページを表示させて画像を受信する受信部と、
前記画像をレイアウトしたプリントデータを生成して、前記プリントデータのサムネイル画像および前記プリントデータに紐付けられたプリント番号をレイアウトしたプリント番号画像を含むＷｅｂページを前記顧客端末に表示させると共に、顧客が有する携帯端末に前記プリント番号画像が表示されるようにメールで通知する番号通知部と、
印刷装置を介して前記プリント番号が入力されたとき、当該プリント番号と紐付いたプリントデータを前記印刷装置に印刷させるデータ送信部と、
を備えることを特徴とする印刷注文システム。
【請求項２】
前記番号通知部は、前記プリント番号画像のＵＲＬをＨＴＭＬメールで顧客が有する携帯端末に通知するか、または前記プリント番号画像を添付したメールで顧客が有する携帯端末に通知する、
ことを特徴とする請求項１に記載の印刷注文システム。
【請求項３】
前記番号通知部は、前記プリント番号画像を含むＷｅｂページのＵＲＬをコード化した画像を当該Ｗｅｂページに表示させる、
ことを特徴とする請求項１に記載の印刷注文システム。
【請求項４】
前記印刷装置は、複数の店舗にそれぞれ設置されており、
前記番号通知部は、前記印刷装置が設置された顧客の最寄りの店舗の情報を前記プリント番号画像にレイアウトする、
ことを特徴とする請求項１ないし請求項３のうちいずれか１項に記載の印刷注文システム。
【請求項５】
前記番号通知部は、前記顧客端末のＩＰアドレスから、顧客の位置を検知する、
ことを特徴とする請求項４に記載の印刷注文システム。
【請求項６】
前記番号通知部は、前記顧客端末からアップロードされた画像に含まれるＧＰＳ情報から、顧客の位置を検知する、
ことを特徴とする請求項４に記載の印刷注文システム。
【請求項７】
請求項１ないし請求項６のうちいずれか１項に記載の印刷注文システムを用いて証明写真のプリントデータを生成し、前記印刷装置に印刷させる、
ことを特徴とする証明写真印刷注文システム。
【請求項８】
顧客端末のブラウザに、画像アップロード用のＷｅｂページを表示させて画像を受信するステップと、
前記画像をレイアウトしたプリントデータを生成するステップと、
前記プリントデータのサムネイル画像および前記プリントデータに紐付けられたプリント番号をレイアウトしたプリント番号画像を含むＷｅｂページを前記顧客端末のブラウザに表示させるステップと、
顧客が有する携帯端末に前記プリント番号画像が表示されるようにメールで通知するステップと、
印刷装置を介して前記プリント番号が入力されたとき、当該プリント番号と紐付いたプリントデータを前記印刷装置に印刷させるステップと、
を含むことを特徴とする印刷注文方法。
【発明の詳細な説明】
【技術分野】
【０００１】
本発明は、店舗に設置されたプリンタに印刷を注文する印刷注文システム、証明写真印刷注文システム、および印刷注文方法に関する。
【背景技術】
【０００２】
従来、免許証、パスポート、履歴書等に貼付するための証明写真等を撮影するためのボックス型の証明写真撮影装置が知られている。証明写真撮影装置は、人物を撮影し、用途に応じた様々なサイズの写真をプリントして出力することができる。しかし、このような証明写真撮影装置の利用料金はやや高価である。また、このような証明写真撮影装置は、設置場所が限られると共に営業時間が限定されるため、緊急に証明写真が必要な場合には対応できないおそれがある。
【０００３】
また近年、デジタルカメラおよびスマートフォンの発展および普及により、ユーザ自らが撮影した被写体画像が容易に利用可能となっている。これら被写体画像を家庭内プリンタで印刷することにより、緊急に証明写真が必要な場合にも対応可能である。
しかし、公的書類や履歴書等に貼付するための証明写真は、十分な画質と耐久性を備えていなければならず、家庭内の廉価なプリンタでは画質や耐久性が不足するおそれがある。よって証明写真は、コンビニエンスストアなどに導入されている高精細な印刷装置などによって印刷されることが望ましい。
【０００４】
このような要望を満たす印刷注文サービスには、例えば非特許文献１に示された「ピクチャン」がある。ピクチャンのシステムは、ユーザが撮影した画像をネットワーク経由で受け付けて、メールによってプリント予約番号を発行する。ユーザがコンビニエンスストアに設置されたマルチコピー機にプリント予約番号を入力すると、このマルチコピー機に証明写真を印刷させる。このようにして、高精細な印刷装置で印刷された証明写真の印刷をユーザに提供している。
【先行技術文献】
【非特許文献】
【０００５】
【非特許文献１】コンビニお手軽プリント・ピクチャン、<URL:http://pic-chan.net/c/>
【発明の概要】
【発明が解決しようとする課題】
【０００６】
非特許文献１に記載の発明にて、ユーザは写真とプリント予約番号との対応を記憶しておかなければならず、複数の写真画像を登録した場合には極めて煩雑であった。
【０００７】
そこで、本発明は、プリント番号情報と、このプリント番号情報によって印刷される写真とを併せてユーザに提示可能な印刷注文システム、証明写真印刷注文システム、および印刷注文方法を提供することを課題とする。
【課題を解決するための手段】
【０００８】
前記した課題を解決するため、本発明の印刷注文システムは、顧客端末に、画像アップロード用のＷｅｂページを表示させて画像を受信する受信部と、前記画像をレイアウトしたプリントデータを生成して、前記プリントデータのサムネイル画像および前記プリントデータに紐付けられたプリント番号をレイアウトしたプリント番号画像を含むＷｅｂページを前記顧客端末に表示させると共に、顧客が有する携帯端末に前記プリント番号画像が表示されるようにメールで通知する番号通知部と、印刷装置を介して前記プリント番号が入力されたとき、当該プリント番号と紐付いたプリントデータを前記印刷装置に印刷させるデータ送信部と、を備えることを特徴とする。
その他の手段については、発明を実施するための形態のなかで説明する。
【発明の効果】
【０００９】
本発明によれば、プリント番号情報と、このプリント番号情報によって印刷される写真とを併せてユーザに提示可能となる。
【図面の簡単な説明】
【００１０】
【図１】本実施形態におけるコンビニ証明写真印刷注文システムを示す構成図である。
【図２】パーソナルコンピュータの構成を示すブロック図である。
【図３】スマートフォンの構成を示すブロック図である。
【図４】サーバの構成を示すブロック図である。
【図５】マルチコピー機の構成を示すブロック図である。
【図６】パーソナルコンピュータのブラウザにより表示されるアップロード画面を示す図である。
【図７】パーソナルコンピュータのブラウザにより表示されるプリント番号通知画面を示す図である。
【図８】スマートフォンのメールソフトにより表示されるプリント番号通知メールを示す図である。
【図９】コンビニ証明写真印刷注文システムの動作を示すシーケンス図である。
【図１０】本実施形態のプリントデータ生成指示後の処理を示すフローチャートである。
【図１１】プリント番号通知画面に掛かる処理を示すフローチャートである。
【図１２】変形例のプリントデータ生成指示後の処理を示すフローチャートである。
【発明を実施するための形態】
【００１１】
以降、本発明を実施するための形態を、各図を参照して詳細に説明する。
図１は、本実施形態におけるコンビニ証明写真印刷注文システム１を示す構成図である。
コンビニ証明写真印刷注文システム１は、ネットワーク上に設けられたサーバ２によって構成される。このサーバ２は、顧客のパーソナルコンピュータ３（顧客端末）やスマートフォン４（携帯端末）や、各店舗に配置されたマルチコピー機５（印刷装置）とネットワークを介して通信可能である。サーバ２は、受信部６１、データ生成部６２、番号通知部６３、データ送信部６４、サービス店舗データベース６５、証明写真データベース６６を含んで構成される。このサーバ２のハードウェア構成は、後記する図４で詳細に説明する。
マルチコピー機５は、複数のコンビニエンスストア（店舗）にそれぞれ設置されている。なお、図面などでは、データベースのことを“ＤＢ”と省略して記載している場合があり、パーソナルコンピュータのことを「パソコン」と省略して記載している場合がある。更に、コンビニエンスストアのことを「コンビニ」と省略して記載している場合がある。
【００１２】
受信部６１は、パーソナルコンピュータ３に画像アップロード用のＷｅｂページを表示させて証明写真の画像を受信する。
データ生成部６２は、証明写真の画像を２行２列にレイアウトしたプリントデータを生成し、生成したプリントデータを証明写真データベース６６に保存させる。なお、証明写真のレイアウトは、２行２列に限定されない。
番号通知部６３は、新たに生成されたプリントデータに係るプリント番号を生成し、プリントデータのサムネイル画像とプリント番号とをレイアウトしたプリント番号画像を生成し、このプリント番号画像を含むＷｅｂページをパーソナルコンピュータ３やスマートフォン４に表示させる。更に番号通知部６３は、顧客が有するスマートフォン４にプリント番号画像が表示されるようにメールに添付して通知する。なお、このプリント番号画像のＵＲＬを含んだＨＴＭＬ（HyperText Markup Language）形式のメールとして通知してもよい。
【００１３】
番号通知部６３は更に、プリント番号画像を含むＷｅｂページのＵＲＬ（Uniform Resource Locator）をコード化した画像をこのＷｅｂページに表示させ、マルチコピー機５が設置された顧客の最寄りのコンビニエンスストアの情報をプリント番号画像にレイアウトする。
データ送信部６４は、マルチコピー機５にプリント番号が入力されたときに、このプリント番号をマルチコピー機５から受信し、このプリント番号に紐付けたプリントデータをマルチコピー機５に送信する。これによりデータ送信部６４は、このプリント番号と紐付いたプリントデータをマルチコピー機５に印刷させる。
サービス店舗データベース６５は、マルチコピー機５が設置されている店舗（コンビニエンスストア）の住所情報や地図情報などを格納したデータベースである。
証明写真データベース６６は、例えばＨＤＤ（Hard Disk Drive）などの大容量記憶媒体上に構成され、データ生成部６２によって生成された証明写真のプリントデータを所定期間保存する。
【００１４】
以下、図２から図５により、このコンビニ証明写真印刷注文システム１を構成するサーバ２と、このサーバ２に接続される各装置のハードウェア構成について説明する。
図２は、パーソナルコンピュータ３の構成を示すブロック図である。
パーソナルコンピュータ３は、ＣＰＵ（Central Processing Unit）３１、ＲＡＭ（Random Access Memory）３２、ＲＯＭ（Read Only Memory）３３、キーボード３４、マウス３５、ディスプレイ３６、通信部３８、記憶部３９を含んで構成される。
【００１５】
ＣＰＵ３１は、中央処理装置であり、揮発性メモリであるＲＡＭ３２や不揮発性メモリであるＲＯＭ３３、記憶部３９からソフトウェアプログラムを読み出して実行する。
キーボード３４は、文字コードを入力する機器であり、マウス３５は操作位置情報を入力する機器である。ディスプレイ３６は操作画面を表示し、キーボード３４やマウス３５と協同して所定の操作入力を受け付けると共に、処理結果を表示する。通信部３８は、例えばネットワークインタフェースであり、ネットワークを介して情報を送受信する。
記憶部３９は、例えばＨＤＤやフラッシュメモリなどの二次記憶媒体であり、ブラウザ３９１とメールソフト３９２とを含んで記憶している。
ブラウザ３９１は、Ｗｅｂページの閲覧用ソフトウェアプログラムであり、ＣＰＵ３１によって実行されることにより、後記する図６や図７のＷｅｂページを表示する。
メールソフト３９２は、メールの送受信と閲覧を行うソフトウェアプログラムであり、ＣＰＵ３１によって実行される。
【００１６】
図３は、スマートフォン４の構成を示すブロック図である。
スマートフォン４は、ＣＰＵ４１、ＲＡＭ４２、ＲＯＭ４３、操作ボタン４４、タッチパネルディスプレイ４６、撮像部４５、ＧＰＳ（Global Positioning System）受信部４７、通信部４８、記憶部４９を含んで構成される。
【００１７】
ＣＰＵ４１は、中央処理装置であり、ＲＡＭ４２やＲＯＭ４３、記憶部４９からソフトウェアプログラムを読み出して実行する。
操作ボタン４４は、所定の操作指示を入力し、タッチパネルディスプレイ４６は操作画面を表示して所定の操作入力を受け付けると共に、処理結果を表示する。通信部４８は、例えばネットワークインタフェースであり、ネットワークを介して情報を送受信する。
撮像部４５は、ＣＣＤ（Charge-Coupled Device）撮像素子やＣＭＯＳ（Complementary MOS）撮像素子などを含んで構成され、画像を撮像する。ＧＰＳ受信部４７は、ＧＰＳ衛星からの電波を受信して、現在位置を測定する。
記憶部４９は、フラッシュメモリなどの二次記憶媒体であり、ブラウザ４９１とメールソフト４９２とを含んで記憶している。ブラウザ４９１は、Ｗｅｂページの閲覧用ソフトウェアプログラムである。メールソフト４９２は、メールの送受信と閲覧を行うソフトウェアプログラムであり、ＣＰＵ４１によって実行されることにより、後記する図８のメール画面を表示する。
【００１８】
図４は、サーバ２の構成を示すブロック図である。
サーバ２は、ＣＰＵ２１、ＲＡＭ２２、ＲＯＭ２３、キーボード２４、マウス２５、ディスプレイ２６、通信部２８、記憶部２９を含んで構成される。
【００１９】
ＣＰＵ２１は中央処理装置であり、ＲＡＭ２２やＲＯＭ２３、記憶部２９からソフトウェアプログラムを読み出して実行する。
キーボード２４は、文字コードを入力する機器であり、マウス２５は操作位置情報を入力する機器である。ディスプレイ２６は操作画面を表示し、キーボード２４やマウス２５と協同して所定の操作入力を受け付けると共に、処理結果を表示する。通信部２８は、例えばネットワークインタフェースであり、ネットワークを介して情報を送受信する。
記憶部２９は、例えばＨＤＤやフラッシュメモリなどの二次記憶媒体であり、サービス店舗データベース６５や証明写真データベース６６、処理プログラム２９１を含んで記憶している。処理プログラム２９１は、ＣＰＵ２１によって実行されることにより、図１に示した受信部６１、データ生成部６２、番号通知部６３、データ送信部６４などを具現化する。
【００２０】
図５は、マルチコピー機５の構成を示すブロック図である。
マルチコピー機５は、ＣＰＵ５１、ＲＡＭ５２、ＲＯＭ５３、タッチパネルディスプレイ５６１、操作ボタン５６２、印刷部５４、スキャナ部５５、金銭授受部５７、通信部５８、記憶部５９を含んで構成される。
【００２１】
ＣＰＵ５１は中央処理装置であり、ＲＡＭ５２やＲＯＭ５３、記憶部５９からソフトウェアプログラムを読み出して実行する。
タッチパネルディスプレイ５６１は操作画面を表示し、操作ボタン５６２と協同して所定の操作入力を受け付けると共に、処理結果を表示する。通信部５８は、例えばネットワークインタフェースであり、ネットワークを介して情報を送受信する。記憶部５９は、例えばＨＤＤやフラッシュメモリなどの二次記憶媒体であり、制御プログラム５９１を含んで記憶している。この制御プログラム５９１は、マルチコピー機５を統括して制御する。
印刷部５４は、用紙を搬送して所定の印刷を実行する。スキャナ部５５は、載置された原稿画像を走査し、画像として読み取る。金銭授受部５７は、ユーザから金銭を受け取ると共に、受け取った金銭とサービス対価との差額であるお釣りをユーザに返却する。
【００２２】
図６は、パーソナルコンピュータ３のブラウザ３９１により表示されるアップロード画面７ａを示す図である。
このアップロード画面７ａは、ブラウザ３９１がＣＰＵ３１によって実行され、サーバ２の所定のＵＲＬがアドレスバー７１に設定されることによって表示される。アドレスバー７１の左側には、進むボタン７２と戻るボタン７３とが配置されている。戻るボタン７３は、直前に表示したＷｅｂページを表示する。進むボタン７２は、戻るボタン７３を使って以前に表示したＷｅｂページを再び表示する。
【００２３】
アップロード画面７ａには更に、アップロードボタン７４ａと画像領域７５ａの組み合わせ、アップロードボタン７４ｂと画像領域７５ｂの組み合わせ、アップロードボタン７４ｃと画像領域７５ｃの組み合わせ、アップロードボタン７４ｄと画像領域７５ｄの組み合わせが２行２列で配置され、更に作成ボタン７６がその下側に配置されている。
アップロードボタン７４ａは、画像領域７５ａにレイアウトする画像をアップロードするボタンである。アップロードボタン７４ａがクリックされると、不図示の画像ファイル選択画面が表示される。アップロードボタン７４ｂ〜７４ｄも同様である。
画像領域７５ａは、アップロードボタン７４ａによって指定された画像を表示する領域であり、顔がレイアウトされるべき位置が破線でガイドされている。ユーザは、この破線に合うように顔画像を調整することで、好ましい証明写真を容易にレイアウトすることができる。画像領域７５ｂ〜７５ｄも同様である。
なお、図６では、画像領域７５ｄに対応する画像は未だアップロードされていない。そのため画像領域７５ｄは、デフォルトの灰色に表示されている。
【００２４】
作成ボタン７６は、「この内容でプリントデータを作成する」の文言が表示されている。ユーザが４枚の画像をアップロードしたのち、この作成ボタン７６をクリックすると、図７に示すプリント番号通知画面７ｂに遷移する。
【００２５】
図７は、パーソナルコンピュータ３のブラウザ３９１により表示されるプリント番号通知画面７ｂを示す図である。
このプリント番号通知画面７ｂは、アップロード画面７ａと同様に、上部に進むボタン７２、戻るボタン７３、アドレスバー７１が配置されている。プリント番号通知画面７ｂには更に、プリント番号画像７７、メールアドレス入力領域７８、プリント番号コード化領域７９が表示されている。
【００２６】
プリント番号画像７７には、プリント番号７７１と、マルチコピー機５が設置されている最寄りの店舗住所７７２と、その店舗地図７７３と、注文した証明写真のサムネイル７７４とがレイアウトされている。プリント番号７７１は、数字とアルファベットの組み合わせで構成されている。ユーザは、このプリント番号をマルチコピー機５に入力することは、このプリント番号に係る証明写真の印刷を注文することができる。ユーザは、サムネイル７７４により、注文番号に係る証明写真を確認することができる。
ユーザは更に、店舗住所７７２や店舗地図７７３を参照することにより、マルチコピー機５が設置されている最寄りの店舗を知ることができる。従来、ユーザは、プリント予約番号を受領したのち、マルチコピー機５が設置されているコンビニエンスストアを探索せねばならず、煩雑であったが、プリント番号画像７７によれば、最寄りのコンビニエンスストアの住所とその地図とを容易に閲覧可能である。
【００２７】
メールアドレス入力領域７８は、プリント番号画像７７の配信を受けるメールアドレスを入力する領域であり、メールアドレス入力欄７８１と送信ボタン７８２とが配置されている。ユーザがメールアドレス入力欄７８１に、スマートフォン４のメールアドレスを入力して送信ボタン７８２をクリックすることにより、上記したプリント番号画像７７をスマートフォン４に配信させることができる。
【００２８】
プリント番号コード化領域７９は、このプリント番号通知画面７ｂのＵＲＬ情報をコード化した二次元コード７９１を表示する領域である。例えばユーザは、スマートフォン４などで二次元コード７９１を撮影してＵＲＬ情報をデコードし、このＵＲＬをスマートフォン４に搭載のブラウザ４９１によってアクセスする。これにより、スマートフォン４は、タッチパネルディスプレイ４６上に、プリント番号通知画面７ｂおよびプリント番号画像７７を表示することができる。
【００２９】
図８は、スマートフォン４のメールソフト４９２により表示されるプリント番号通知メール８を示す図である。
このプリント番号通知メール８は、ナビゲーションバー８１、差出人欄８２、宛先欄８３、タイトル欄８４、本文欄８５を含んで構成され、本文欄８５は添付画像８６を含んでいる。
ナビゲーションバー８１は、このメールソフト４９２を操作するための領域であり、上下方向ボタンをタップすることによって、表示するメールを選択することができる。
差出人欄８２は、このメールの差出人を示している。宛先欄８３は、このメールの宛先を示している。タイトル欄８４はメールのタイトルを示し、本文欄８５は、このメールの本文を示している。添付画像８６は、図７に示したプリント番号画像７７と同一の画像である。このようなプリント番号通知メール８により、プリント番号と、このプリント番号に紐付くプリントデータのサムネイルと、マルチコピー機５が設置されている最寄りのコンビニエンスストアの住所情報および地図情報とをスマートフォン４に表示することができる。
なお、本実施形態では、プリント番号画像７７はメールに添付されているが、ＨＴＭＬ形式のメールとして、プリント番号画像７７を表示するためのハイパーリンク情報をこのメールに埋め込んでもよく、限定されない。
【００３０】
図９は、コンビニ証明写真印刷注文システム１の動作を示すシーケンス図である。
ユーザが、パーソナルコンピュータ３のブラウザ４９１を起動し、アドレスバー７１にアップロードＵＲＬを入力すると、一連の処理が開始する。
パーソナルコンピュータ３は、受信部６１により、サーバ２のアップロードＵＲＬにアクセスする（シーケンスＱ１０）。サーバ２は、アップロード画面７ａ（図６参照）を表示するＷｅｂページをパーソナルコンピュータ３に送信する（シーケンスＱ１１）。これにより、パーソナルコンピュータ３のディスプレイ３６上にアップロード画面７ａが表示される。
【００３１】
次いでユーザは、アップロード画面７ａ上のアップロードボタン７４ａなどをクリックして写真画像を決定する。パーソナルコンピュータ３は、決定した写真画像をサーバ２に送信する（シーケンスＱ１２）。サーバ２は、受信部６１により受信した写真画像をパーソナルコンピュータ３におけるアップロード画面７ａ上の画像領域７５ａに反映させる（シーケンスＱ１３）。これらをすべての画像領域７５ａ〜７５ｄについて繰り返すことで、４枚の写真をアップロードすることができる。
【００３２】
次いでユーザが作成ボタン７６をクリックすると、パーソナルコンピュータ３は、データ生成をサーバ２に指示する（シーケンスＱ２０）。サーバ２は、データ生成部６２により、ユーザの指示に基づきプリントデータを生成する（シーケンスＱ２１）と共に、番号通知部６３によりプリント番号画像７７を生成し、このプリント番号画像７７を含んだプリント番号通知画面７ｂ（図７参照）のＷｅｂページをパーソナルコンピュータ３に送信する（シーケンスＱ２２）。このシーケンスＱ２１の処理は、後記する図１０にて詳細に説明する。
次いでユーザがプリント番号通知画面７ｂにてメールアドレスをメールアドレス入力欄７８１に入力し、送信ボタン７８２をクリックすると、パーソナルコンピュータ３はメールアドレスをサーバ２に送信する（シーケンスＱ２３）。これによりサーバ２は、番号通知部６３により、プリント番号画像７７をスマートフォン４にメール送信する（シーケンスＱ２４）。これによりユーザは、スマートフォン４の画面にプリント番号と、このプリント番号に紐付いているプリントデータのサムネイルとを表示することができる。
【００３３】
ユーザがスマートフォン４を携帯しつつプリント番号画像７７に示されているコンビニエンスストアに赴き、プリント番号画像７７に示されているプリント番号をマルチコピー機５に入力すると、印刷に係る一連の動作が開始する。
マルチコピー機５はプリント番号を受け付け（シーケンスＱ３０）、このプリント番号をサーバ２に送信する（シーケンスＱ３１）。サーバ２は、データ送信部６４により、このプリント番号に紐付くプリントデータをマルチコピー機５に送信する（シーケンスＱ３２）。その後、ユーザが所定の料金を金銭授受部５７に投入すると、マルチコピー機５は、プリントデータを印刷して証明写真をユーザに提供する（シーケンスＱ３３）ことができる。
【００３４】
図１０は、本実施形態のプリントデータ生成指示後の処理を示すフローチャートである。
シーケンスＱ２０（図９参照）にてパーソナルコンピュータ３がデータ生成をサーバ２に指示すると、サーバ２は、ステップＳ１０〜Ｓ１６に示す一連の処理を開始する。
サーバ２は、４枚の写真をレイアウトしてプリントデータを生成し（ステップＳ１０）、プリント番号を乱数により生成し（ステップＳ１１）、プリントデータとプリント番号の組み合わせをデータベースに記録する（ステップＳ１２）。サーバ２は、プリントデータからサムネイルデータを生成する（ステップＳ１３）。
【００３５】
次にサーバ２は、番号通知部６３によりパーソナルコンピュータ３のＧＥＴリクエストに含まれる送信元ＩＰアドレスから住所を特定し（ステップＳ１４）、サービス店舗データベース６５を参照してマルチコピー機５が設置された最寄りのコンビニエンスストアを特定する（ステップＳ１５）。これにより、最寄りのコンビニエンスストアを特定し、その住所や地図を表示することができる。
最後にサーバ２は、プリント番号・プリントデータのサムネイル・コンビニの住所情報や地図情報を含むプリント番号情報画像を生成する（ステップＳ１６）。これらを一体の情報として纏めることで、相互に紐付けられた一組の情報であることを明示することができる。
【００３６】
図１１は、プリント番号通知画面７ｂに掛かる処理を示すフローチャートである。
ユーザがプリント番号通知画面７ｂのＵＲＬ情報をコード化した二次元コード７９１をスマートフォン４で撮影し、このＵＲＬにアクセスすることで、図１１の処理が開始する。
サーバ２は、番号通知部６３によりスマートフォン４の住所を特定し（ステップＳ２０）、サービス店舗データベース６５を参照してマルチコピー機５が設置された最寄りのコンビニエンスストアを特定する（ステップＳ２１）。スマートフォン４の住所は、例えば専用アプリやブラウザのプラグインがＧＰＳ受信部４７から取得して送信する。これにより、ユーザがスマートフォン４と共に自宅外に移動した場合であっても、ユーザの現在地の最寄りのコンビニエンスストアを特定し、その住所や地図を表示することができる。
最後にサーバ２は、プリント番号・プリントデータのサムネイル・コンビニエンスストアの住所情報や地図情報を含むプリント番号情報画像を生成する（ステップＳ２２）。これらを一体の情報として纏めることで、相互に紐付けられた一組の情報であることを明示することができる。
【００３７】
図１２は、変形例のプリントデータ生成指示後の処理を示すフローチャートである。図１０に示した処理と同一の要素には同一の符号を付与している。
変形例のフローチャートによれば、上記実施形態のステップＳ１４（図１０参照）に代えて、サーバ２は、番号通知部６３により、写真のＧＰＳデータから住所を特定している。これ以外のステップＳ１０〜Ｓ１３の処理と、ステップＳ１５，Ｓ１６の処理は、図１０に示した処理と同様である。
写真のＧＰＳデータは、ＩＰアドレスによって特定した住所よりも一般的に精度が良いため、最寄りのコンビニエンスストアを正確に特定可能である。なお、４枚の写真画像のＧＰＳ情報がそれぞれ食い違っていたときには、最新の撮影日時を有する写真画像のＧＰＳ情報に基づいて、ユーザの住所を特定するとよい。最新の撮影に係る写真画像が、ユーザの現在地にもっとも近いと考えられるためである。
【００３８】
（変形例）
本発明は、上記実施形態に限定されることなく、本発明の趣旨を逸脱しない範囲で、変更実施が可能であり、例えば、次の（ａ）〜（ｅ）のようなものがある。
（ａ）  写真画像をサーバ２にアップロードするのはパーソナルコンピュータ３に限定されず、例えばスマートフォン４であってもよい。
（ｂ）  ４枚の写真画像のＧＰＳ情報がそれぞれ食い違っていたときには、多数決によってユーザの現在地を決定してもよい。これにより、大多数の被写体にとっての最寄りのコンビニエンスストアをユーザに案内することができる。
（ｃ）  上記実施形態では、ブラウザを介して画像をサーバ２にアップロードしているが、これに限られず、専用アプリケーションを介して画像をサーバ２にアップロードしてもよく、限定されない。
（ｄ）  プリント番号通知画面７ｂ上のＵＲＬのコードは、二次元コードに限定されず、一次元のバーコードでもよく、限定されない。
（ｅ）  本発明は、証明写真の印刷注文に限定されず、写真画像の印刷注文や任意のコンテンツの印刷注文などに適用してもよい。
【符号の説明】
【００３９】
１  コンビニ証明写真印刷注文システム
２  サーバ
２８  通信部
２９  記憶部
２９１  処理プログラム
３  パーソナルコンピュータ  （顧客端末）
３８  通信部
３９  記憶部
３９１  ブラウザ
３９２  メールソフト
４  スマートフォン  （携帯端末）
４４  操作ボタン
４５  撮像部
４６  タッチパネルディスプレイ
４７  ＧＰＳ受信部
４８  通信部
４９  記憶部
４９１  ブラウザ
４９２  メールソフト
５  マルチコピー機  （印刷装置）
５４  印刷部
５６１  タッチパネルディスプレイ
５６２  操作ボタン
５７  金銭授受部
５８  通信部
５９  記憶部
６１  受信部
６２  データ生成部
６３  番号通知部
６４  データ送信部
６５  サービス店舗データベース
６６  証明写真データベース
７ａ  アップロード画面
７ｂ  プリント番号通知画面
７４ａ〜７４ｄ  アップロードボタン
７５ａ〜７５ｄ  画像領域
７６  作成ボタン
７７  プリント番号画像
７７１  プリント番号
７７２  店舗住所
７７３  店舗地図
７７４  サムネイル
７８  メールアドレス入力領域
７８１  メールアドレス入力欄
７８２  送信ボタン
７９  プリント番号コード化領域
７９１  二次元コード
８  プリント番号通知メール
８６  添付画像
【図１】
2017084064.tif 000003
【図２】
2017084064.tif 000004
【図３】
2017084064.tif 000005
【図４】
2017084064.tif 000006
【図５】
2017084064.tif 000007
【図６】
2017084064.tif 000008
【図７】
2017084064.tif 000009
【図８】
2017084064.tif 000010
【図９】
2017084064.tif 000011
【図１０】
2017084064.tif 000012
【図１１】
2017084064.tif 000013
【図１２】
2017084064.tif 000014